(57)【特許請求の範囲】
【請求項１】
一次側の電線及び二次側の電線のそれぞれに電気的に接続される一対の導電部と、絶縁性を有し、該一対の導電部のそれぞれを支持する支持部と、一方向に長手をなして形成される導電ブレードと、絶縁性を有し、該導電ブレードをその長手方向が前記一対の導電部同士を結ぶ仮想線に沿うようにして支持し、且つ、該導電ブレードを該仮想線に沿って直線移動させることで、該導電ブレードを前記一対の導電部のそれぞれに電気的に接続した入状態と、該導電ブレードを前記一対の導電部の何れか一方の導電部から縁切りした切状態とに切り替えるブレード支持部とを備える断路器であって、該ブレード支持部は、前記導電ブレードを入状態から切状態に切り替える際に、該導電ブレードを前記仮想線の延びる方向と直交する方向にオフセットさせるように構成されることを特徴とする断路器。
【請求項２】
前記ブレード支持部は、導電ブレードを入状態から切状態に切り替えるとともに、該導電ブレードを前記仮想線の延びる方向と直交する方向にオフセットさせるように構成されることを特徴とする請求項１に記載の断路器。
【請求項３】
前記一対の導電部のそれぞれは、導電ブレードを挟持可能な挟持部を備え、該挟持部は、導電ブレードが切状態から入状態に切り替わる際にオフセットする方向と相反する方向に向けて開口するように構成されることを特徴とする請求項１又は２に記載の断路器。
【請求項４】
前記導電部は、切状態から入状態に切り替えられた導電ブレードの長手方向における進行方向先端側の端部を挿入可能なブレード固定部を備えることを特徴とする請求項１乃至３の何れか一項に記載の断路器。
【請求項５】
前記導電ブレードが前記仮想線の延びる方向と直交する方向にオフセットする際に、該導電ブレードの姿勢を、その長手方向が前記仮想線の延びる方向と交差するように変更する姿勢変更手段を備えることを特徴とする請求項１乃至４の何れか一項に記載の断路器。
【請求項６】
前記姿勢変更手段は、導電ブレードを入状態から切状態に切り替える際に、該導電ブレードの長手方向における進行方向先端側を前記仮想線の延びる方向と直交する方向にオフセットし、該導電ブレードの長手方向における進行方向先端側に追従するように、該導電ブレードの長手方向における進行方向後端側をオフセットするように構成されることを特徴とする請求項５に記載の断路器。
【発明の詳細な説明】
【技術分野】
【０００１】
本発明は、発電施設等に設置される電路の開閉を行うための断路器に関する。
【背景技術】
【０００２】
この種の断路器は、例えば、架台の上に設置されたベースと、柱状に形成され、該ベース上から起立した状態で設けられるとともに、自身の中心線を軸心として回転可能に構成される一対の絶縁支持部（例えば、支持碍子）と、一方向に長手をなして形成され、絶縁支持部のそれぞれの先端部に設けられる導電ブレードと、該絶縁支持部を駆動させる駆動機構とを備えており、一方の導電ブレードに、発電施設から送電される電力が通る経路（以下、電路という）における送電方向上流側又は送電方向下流側の何れか一方が電気的に接続されるとともに、他方の導電ブレードに、該電路における送電方向上流側又は送電方向下流側の何れか他方が電気的に接続される。
【０００３】
また、この種の断路器は、導電ブレードの長手方向における一端部が絶縁支持部の上端部に固定されており、導電ブレードの長手方向と絶縁支持部の長手方向とが直交するように構成されている。さらに、この種の断路器は、絶縁支持部を回転させることで一対の導電ブレードの他端部同士を接触させた状態と離間させた状態とに切り替えることができるように構成されている。すなわち、前記断路器は、絶縁支持部を回転させることで電路を開いた状態と閉じた状態とに切り替えることができるように構成されている。
【０００４】
従って、上記構成の断路器（所謂、水平一点切断路器）は、一対の導電ブレードを回転させることによって、電路上における当該断路器が設置されている位置よりも送電方向下流側を電源（発電施設）から切り離した状態と電源に接続した状態とに切り替えることができる（例えば、特許文献１参照）。
【０００５】
しかしながら、この種の断路器は、電路を開いた状態又は閉じた状態に切り替える際に、一対の導電ブレードのそれぞれが自身の一端部（絶縁支持部に設けられている側の端部）を中心として回転するように構成されているため、設置するにあたり、当該断路器を配置するために必要なスペースに加えて、一対の導電ブレードが回転するために必要なスペースも確保する必要がある。従って、この種の断路器は、十分なスペースを確保することができない場所には設置することができないため、設置可能な場所が限られるという問題があった。
【０００６】
そこで、設置するために必要なスペースを抑えることができる断路器が提供されている（例えば、特許文献２及び特許文献３参照）。
【０００７】
かかる断路器は、筒状に形成された筒状支持部と、一方向に長手をなして形成され、該筒状支持部に挿通されるとともに、自身の長手方向で直線移動可能に構成された導電ブレードと、該筒状支持部の中心線上で且つ一方の開口端又は他方の開口端側の何れか一方側に配置される導電部と、該導電ブレードを駆動させるための駆動機構とを備えている。また、この種の断路器は、筒状支持部に、電路における送電方向下流側が電気的に接続され、導電部に、電路における送電方向上流側が接続されている。
【０００８】
前記導電ブレードは、長手方向における一端側に駆動機構が取付けられており、長手方向に直線移動することで他端側が導電部に接触した状態と導電部から離間した状態とに切り替わることができるように構成されている。すなわち、この種の断路器は、導電ブレードを長手方向で直線移動させることで電路を開いた状態又は閉じた状態に切り替えることができるように構成されている。
【０００９】
従って、この種の断路器は、導電ブレードが領域が筒状支持部と導電部との間で移動することになるため、導電ブレードが移動するために確保する必要となるスペースを抑えることができるとされている。
【先行技術文献】
【特許文献】
【００１０】
【特許文献１】特開平６−８９６３８号公報
【特許文献２】特開平６−８４４３１号公報
【特許文献３】国際公開番号Ｗ０２００５／０６２３２５
【発明の概要】
【発明が解決しようとする課題】
【００１１】
しかしながら、この種の断路器は、上述のように、導電ブレードが筒状支持部に挿通されている状態で且つ一端部に駆動機構が取付けられている。そのため、例えば、劣化した導電ブレードを交換する場合、該導電ブレードから駆動機構を取り外した後に、該導電ブレードを筒状支持部から取り出し、新たな導電ブレードを筒状支持部に挿通させた後に、該導電ブレードに駆動機構を取付ける必要がある。すなわち、この種の断路器は、導電ブレードを交換するために、駆動装置の取外し、及び取り付け作業等が必要となる。従って、この種の断路器は、保守作業を行う際に、手間がかかることが問題となっている。
【００１２】
そこで、本発明は、かかる実情に鑑み、保守作業を容易にすることのできる断路器を提供することを課題とする。
【課題を解決するための手段】
【００１３】
本発明に係る断路器は、一次側の電線及び二次側の電線のそれぞれに電気的に接続される一対の導電部と、絶縁性を有し、該一対の導電部のそれぞれを支持する支持部と、一方向に長手をなして形成される導電ブレードと、絶縁性を有し、該導電ブレードをその長手方向が前記一対の導電部同士を結ぶ仮想線に沿うようにして支持し、且つ、該導電ブレードを該仮想線に沿って直線移動させることで、該導電ブレードを前記一対の導電部のそれぞれに電気的に接続した入状態と、該導電ブレードを前記一対の導電部の何れか一方の導電部から縁切りした切状態とに切り替えるブレード支持部とを備える断路器であって、該ブレード支持部は、前記導電ブレードを入状態から切状態に切り替える際に、該導電ブレードを前記仮想線の延びる方向と直交する方向にオフセットさせるように構成されることを特徴とする。
【００１４】
上記構成の断路器は、ブレード支持部が導電ブレードを一対の導電部同士を結ぶ仮想線上で直線移動させることで一対の導電部のそれぞれに電気的に接続された入状態と、一対の導電部のそれぞれから縁切りされた切状態とに切替可能に構成されるため、導電ブレードを入状態にすることで一次側の電線及び二次側の電線からなる電路を閉じた状態にし、導電ブレードを切状態にすることで該電路を開いた状態にすることができる。
【００１５】
そして、上記構成の断路器は、ブレード支持部が導電ブレードを入状態から切状態に切り替える際に、該導電ブレードを前記仮想線の延びる方向と直交する方向にオフセットするように構成されるため、該導電ブレードを入状態から切状態に切り替えると該導電ブレードが一対の導電部の間の領域外に移動する。すなわち、上記構成の断路器は、導電ブレードを入状態から切状態に切り替えると、導電ブレードが一対の導電部から離れた場所に移動する。これにより、上記構成の断路器は、導電ブレードがブレード支持部のみに支持された状態になるため、一対の導電部のそれぞれを分解することなく既設の導電ブレードを新たな導電ブレードに交換することができる。
【００１６】
本発明の一態様として、前記ブレード支持部は、導電ブレードを入状態から切状態に切り替えるとともに、該導電ブレードを前記仮想線の延びる方向と直交する方向にオフセットさせるように構成されることが好ましい。
【００１７】
このようにすれば、導電ブレードは、入状態から切状態に切り替えられる場合、前記仮想線の延びる方向と直交する方向にオフセットされると、一対の導電部のそれぞれから同時に縁切りされることになる。また、導電ブレードは、切状態から入状態に切り替えられる場合、前記仮想線の延びる方向と直交する方向に移動すると、前記一対の導電部のそれぞれに同時に電気的に接続されることになる。
【００１８】
従って、上記構成の断路器によれば、導電ブレードが一対の導電部の少なくとも何れか一方と接触しながら動くことを防ぐことができるため、移動に伴う導電ブレードの磨耗を抑制することができる。
【００１９】
また、前記一対の導電部のそれぞれは、導電ブレードを挟持可能な挟持部を備え、該挟持部は、導電ブレードが切状態から入状態に切り替わる際にオフセットする方向と相反する方向に向けて開口するように構成されることが好ましい。このようにすれば、ブレード接続部は、仮想線の延びる方向と直交する方向に移動する導電ブレードを受け入れやすくなるため、投入不良を防ぐことができる。
【００２０】
そして、前記導電部は、切状態から入状態に切り替えられた導電ブレードの長手方向における進行方向先端側の端部を挿入可能なブレード固定部を備えるようにしてもよい。このようにすれば、入状態の導電ブレードと導電部との接続が解除されてしまうことを防ぐことができる。
【００２１】
本発明の他態様として、前記断路器は、前記導電ブレードが前記仮想線の延びる方向と直交する方向にオフセットする際に、該導電ブレードの姿勢を、その長手方向が前記仮想線の延びる方向と交差するように変更する姿勢変更手段を備えるようにすることが好ましい。このようにすれば、導電ブレードが一方の導電部に接触しながら移動することを抑えることができるため、導電ブレードの摩耗を抑えることができる。
【００２２】
また、前記姿勢変更手段は、導電ブレードを入状態から切状態に切り替える際に、該導電ブレードをその長手方向における進行方向先端側を前記仮想線の延びる方向と直交する方向にオフセットし、該導電ブレードの長手方向における進行方向先端側に追従するように、該導電ブレードの長手方向における進行方向後端側をオフセットするように構成することが好ましい。
【００２３】
このようにすれば、導電ブレードは、入状態から切状態に切り替えられる場合、前記仮想線の延びる方向と直交する方向にオフセットされつつ、長手方向が前記仮想線の延びる方向と交差する姿勢に変更される。また、導電ブレードは、切状態から入状態に切り替えられる場合においても、前記仮想線の延びる方向と直交する方向にオフセットされつつ、長手方向が前記仮想線の延びる方向と交差する姿勢に変更される。
【００２４】
従って、上記構成の断路器によれば、導電ブレードが一対の導電部の少なくとも何れか一方と接触しながら動くことを防ぐことができるため、移動に伴う導電ブレードの磨耗をより抑制することができる。
【発明の効果】
【００２５】
以上のように、本発明に係る断路器によれば保守作業を容易に行うことができるという優れた効果を奏し得る。
【図面の簡単な説明】
【００２６】
【図１】本発明の第一実施形態に係る断路器の平面図を示す。
【図２】同実施形態に係る断路器の側面図を示す。
【図３】同実施形態に係る断路器の部分側面図を示す。
【図４】同実施形態に係る断路器の導電部を示す図であって、（ａ）は、導電部の平面図を示し、（ｂ）は、導電部の正面図を示す。
【図５】同実施形態に係る断路器のベースの平面図を示す。
【図６】同実施形態に係る断路器の動作を説明する図であって、（ａ）は、導電ブレードを切状態から仮想線の延びる方向に沿って直線移動させた状態を示し、（ｂ）は、導電ブレードを仮想線の延びる方向に沿って直線移動させつつ、該仮想線の延びる方向と直交する方向に移動させた状態を示し（ｃ）は、導電ブレードを入状態にした状態を示す。
【図７】本発明の第二実施形態に係る断路器のベースの平面図を示す。
【図８】同実施形態に係る断路器の動作の説明図であって、（ａ）は、導電ブレードを切状態から仮想線の延びる方向に沿って直線移動させた状態を示し、（ｂ）は、導電ブレードを仮想線の延びる方向に沿って直線移動させつつ、該仮想線の延びる方向と直交する方向に移動させた状態を示し（ｃ）は、導電ブレードを入状態にした状態を示す。
【図９】本発明の第三実施形態に係る断路器のベース及びブレード支持部を示す図であって、（ａ）は、ベースの平面図を示し、（ｂ）は、ブレード支持部の正面図を示す。
【図１０】同実施形態に係る断路器の動作の説明図であって、（ａ）は、導電ブレードを切状態にした状態を示し、（ｂ）は、導電ブレードを仮想線の延びる方向に沿って直線移動させつつ、該仮想線の延びる方向と直交する方向に移動させている状態を示し（ｃ）は、導電ブレードを入状態にした断路器を示す。
【発明を実施するための形態】
【００２７】
以下、本発明の第一実施形態に係る断路器について添付図面を参照しつつ説明する。本実施形態に係る断路器は、一次側の電線（以下、一次側電線とする）と、二次側の電線（以下、二次側電線とする）とで構成される電路の開閉を行うものである。
【００２８】
本実施形態に係る断路器は、図１及び図２に示す如く、一次側の電線Ｃ１及び二次側の電線Ｃ２のそれぞれが電気的に接続される一対の導電部２，２と、絶縁性を有し、該一対の導電部２，２のそれぞれを支持する支持部３と、一方向に長手をなして形成される導電ブレード４と、絶縁性を有し、該導電ブレード４をその長手方向が一対の導電部２，２同士を結ぶ仮想線（以下、単に仮想線という）に沿うようにして支持し、且つ、該導電ブレード４を該仮想線に沿って直線移動させることで、該導電ブレード４を一対の導電部２，２のそれぞれに電気的に接続した入状態と、該導電ブレード４を一対の導電部２，２の何れか一方の導電部２から縁切りした切状態とに切り替えるブレード支持部５とを備えている。
【００２９】
また、ブレード支持部５は、直線移動に際し、仮想線の延びる方向と直交する方向にオフセットするようになっている。これに伴い、断路器１は、ブレード支持部５（導電ブレード４）移動軌跡を規定するガイドレール６を備えている。また、断路器１は、仮想線の延びる方向と直交する方向におけるブレード支持部５の動きを許容しつつ、該ブレード支持部５を仮想線が延びる方向に沿って移動させる駆動装置７を備えている。
【００３０】
前記導電部２，２のそれぞれは、図４（ａ）及び図４（ｂ）に示す如く、板状の導電部本体２０と、一次側の電線Ｃ１又は二次側の電線Ｃ２（図４（ａ）においては、一次側の電線Ｃ１）が電気的に接続される電線接続部２１と、導電ブレード４を挟持可能な挟持部２２とを備えている。さらに、導電部２，２のうち、一方の導電部２（一次側の電線Ｃ１が電気的に接続される導電部２）は、導電ブレード４の入状態を維持させるためのブレード固定部２３を備える。
【００３１】
前記導電部本体２０は、厚みが前記導電ブレード４の厚みよりも僅かに小さくなるように設定される。また、導電部本体２０は、支持部３の上端部に取り付けられる。
【００３２】
前記電線接続部２１は、仮想線が延びる方向に沿って導電部本体２０から延出するように設けられる。すなわち、一次側の電線Ｃ１が接続される電線接続部２１は、導電部本体２０から仮想線が延びる方向における一方向に向けて延出し、二次側の電線Ｃ２が接続される電線接続部２１は、導電部本体２０から仮想線が延びる方向における他方向に向けて延出している。
【００３３】
従って、一次側の電線Ｃ１が接続される電線接続部２１と、二次側の電線Ｃ２が接続される電線接続部２１とは、仮想線の延びる方向において相反する方向に延びている（図１参照）。
【００３４】
前記挟持部２２は、導電ブレード４の一方の面（上面）に当接する上側板部２２０ａと、導電ブレード４の他方の面（下面）に当接する下側板部２２０ｂとを備えており、上側板部２２０ａと下側板部２２０ｂとが協働して導電ブレード４を挟み込むことができるように構成されている。また、挟持部２２は、導電ブレード４が切状態から入状態に切り替わる際にオフセットする方向と相反する方向に向けて開口するように構成される。
【００３５】
また、挟持部２２は、複数の上側板部２２０ａ，２２０ａ…を備えており、該上側板部２２０ａ，２２０ａ…のそれぞれが仮想線の延びる方向に沿って並ぶように導電部本体２０に設けられている。また、挟持部２２は、複数の下側板部２２０ｂ，２２０ｂ…を備えており、該下側板部２２０ｂ，２２０ｂ…のそれぞれが上側板部２２０ａ，２２０ａ…のそれぞれに対応する位置で、仮想線の延びる方向に沿って並ぶように導電部本体２０に設けられている。
【００３６】
なお、挟持部２２は、上側板部２２０ａと下側板部２２０ｂとの数の対応がとれていれば、該上側板部２２０ａと下側板部２２０ｂの数を特に問うものではないが、本実施形態では、４つの上側板部２２０ａと、４つの下側板部２２０ｂとを備えるようにしている。
【００３７】
具体的に説明すると、前記上側板部２２０ａは、一方向に長手をなすように形成されている。そして、上側板部２２０ａは、一方側の面（下面）の長手方向における一端部が導電部本体２０の上面に当接するように設けられている。これにより、上側板部２２０ａは、仮想線が延びる方向に直交する方向に向けて導電部本体２０から延出した状態になっている。
【００３８】
前記下側板部２２０ｂは、上側板部２２０ａと同様に、一方向に長手をなすように形成されており、一方側の面（上面）の長手方向における一端部が導電部本体２０の下面に当接するように設けられている。上述のように、下側板部２２０ｂ，２２０ｂ…のそれぞれは、上側板部２２０ａ，２２０ａ…のそれぞれに対応する位置に設けられているため、導電部本体２０の厚みに相当する間隔を空けて一方側の面が上側板部２２０ａの一方側の面と対向した状態になる。
【００３９】
また、挟持部２２は、上側板部２２０ａ及び下側板部２２０ｂが長手方向における他端部側が互いに離間する方向に湾曲するように形成されている。そのため、挟持部２２は、導電部本体２０から離れるにつれて、上側板部２２０ａの一方側の面と下側板部２２０ｂの一方側の面との間隔が徐々に広くなるように構成されている。なお、導電部２においては、上側板部２２０ａ、導電部本体２０、下側板部２２０ｂにボルトを挿通し、該ボルトの先端部にナットを螺合させることで、挟持部２２が導電部本体２０に固定されている。
【００４０】
そして、一次側の電線Ｃ１が接続される導電部２に設けられた挟持部２２と、二次側の電線Ｃ２が接続される導電部２に設けられた挟持部２２とは、仮想線の延びる方向と直交する方向において、同一方向に向けて延びている。
【００４１】
前記ブレード固定部２３は、仮想線が延びる方向において、挟持部２２と隣り合う位置に配置されており、導電部本体２０と一体的に形成されている。ブレード固定部２３は、挟持部２２に向けて開口し、導電ブレード４の長手方向における一端部を挿入可能な凹部２３０を備えている。
【００４２】
さらに、ブレード固定部２３は、凹部２３０の内周面に形成され、導電ブレード４の長手方向における一端部を押圧できるように構成される押圧部２３１を備えている。該押圧部２３１は、凹部２３０の側面から中央部に向かって突状に湾曲する一対の凸部２３１ａ，２３１ｂを備えている。
【００４３】
前記支持部３は、図２に示す如く、設置物（例えば、架台）Ｂ上に設けられる板状のベース３０と、該ベース３０から起立するように設けられる柱状の第一支持碍子３１とを備えている。該第一支持碍子３１は、柱状に形成され、長手方向における一端に台部３１０が設けられ、長手方向における他端に導電部支持台３１１が設けられたものであり、一対設けられている。
【００４４】
また、第一支持碍子３１は、台部３１０がベース３０上に固定されることによって、該ベース３０から起立した状態になっている。これに伴い、第一支持碍子３１は、導電部支持台３１１の上端面がベース３０の上面と平行をなした状態になっている。
【００４５】
また、支持部３のベース３０には、ガイドレール６が穿設されている。ここで、ガイドレール６について説明する。ガイドレール６は、図５に示す如く、仮想線に沿って真っ直ぐ伸びる第一レール部６０と、該第一レール部６０の先端部に連設され、仮想線の延びる方向と交差する方向に沿って延びる第二レール部６１と、該第二レール部６１の先端部から仮想線に沿って真っ直ぐ伸びる第三レール部６２とを備えている。また、ガイドレール６は、第一レール部６０と第二レール部６１と第三レール部６２との幅寸法が略同一となるように形成されている。
【００４６】
第一レール部６０は、ベース３０における仮想線を境とする一方側に穿設されている。これに伴い、第二レール部６１は、ベース３０における仮想線を境とする一方側から、他方側に向かって延びるように形成されている。さらに、第三レール部６２は、ベース３０における仮想線を境とする一方側に穿設されている。
【００４７】
前記導電ブレード４は、図１、及び図２に示す如く、長手方向における寸法が一次側の電線Ｃ１が電気的に接続された導電部２のブレード固定部２３と、二次側の電線Ｃ２が電気的に接続された導電部２の挟持部２２とを電気的に接続可能な寸法で形成されている。
【００４８】
また、導電ブレード４は、長手方向における中央部がブレード支持部５に固定される。また、導電ブレード４は、長手方向における一端側（一次側の電線Ｃ１に取り付けられた導電部２に電気的に接続される側）の短部が先細りに形成されている。これにより、導電ブレード４は、長手方向における一端部をブレード固定部２３の凹部２３０に挿入することができる。
【００４９】
前記ブレード支持部５は、図２、及び図３に示す如く、柱状に形成され、長手方向における一端部における他端部にブレード支持台５００が取付けられる第二支持碍子５０と、該第二支持碍子５０の長手方向における他端部から延出する第一軸部５１と、該第一軸部５１の先端部に設けられた可動ベース５２とを備えている。これに伴い、ブレード支持部５は、該可動ベース５２を支持するための補助ガイド５３を備えている。
【００５０】
前記第二支持碍子５０及び可動ベース５２は、外周部がガイドレール６の幅よりも大きくなるように形成されている。さらに、第一軸部５１は、長手方向における寸法がベース３０の厚みの寸法よりも大きくなるように設定されるとともに、直径がガイドレール６の幅の寸法よりも小さくなるように設定される。これにより、ブレード支持部５は、第一軸部５１がガイドレール６に挿通され、第二支持碍子５０及び可動ベース５２によって抜け止めされた状態でベース３０に取り付けられる。
【００５１】
また、ブレード支持部５は、ベース３０上から起立するように設けられた状態において、ブレード支持台５００の上端面が前記ベース３０の上面と平行するように構成されている。これにより、ブレード支持部５は、導電ブレード４をベース３０の上面と平行となるように支持することができるように構成されている。
【００５２】
前記駆動装置７は、図１及び図２に示す如く、可動ベース５２に連結されており、仮想線の延びる方向と直交する方向における可動ベース５２の動きを許容しつつ、該可動ベース５２を仮想線が延びる方向に移動させることができるように構成されている。また、駆動装置７は、隣り合うベース３０との間に一つずつ設けられている。
【００５３】
具体的に説明すると、駆動装置７は、可動ベース５２に取り付けられる連結部７０と、該連結部７０を介して可動ベース５２に取り付けられる電動シリンダ７１と、該電動シリンダ７１を作動させるために必要となる電力を供給する電源接続端子箱７２とを備えている。
【００５４】
前記連結部７０は、可動ベース５２の長手方向に沿って長手をなすように形成されるガイド部７００と、ガイド部７００に取り付けられるスライド部７０１とを備えている（所謂、ＬＭガイド）。
【００５５】
前記ガイド部７００は、可動ベース５２の長手方向に沿って連続するガイド溝が形成されている。そして、スライド部７０１は、該ガイド溝に嵌るように形成された突部を備えている。これにより、連結部７０は、ガイド部７００とスライド部７０１とが、ガイド溝の延びる方向に沿って相対的に動くことができるように構成されている。
【００５６】
前記電動シリンダ７１は、スライド部７０１に取り付けられている。これにより、電動シリンダ７１は、仮想線の延びる方向に直交する方向における可動ベース５２の動きを許容しつつ、仮想線の延びる方向に沿って可動ベース５２を動かすことができる。
【００５７】
本実施形態に係る断路器の説明は、以上の通りであり、続いて、該断路器１を使用した電路の開閉動作について添付図面を参照しつつ説明する。なお、図６については、便宜上、駆動装置７の記載を省略している。
【００５８】
まず、前記電路を開いた状態から閉じた状態にする動作について説明する。電路を開いた状態では、図１に示す如く、導電ブレード４は、その長手方向が仮想線の延びる方向に沿っている状態で、仮想線が延びる方向からオフセットされた場所（本実施形態では、仮想線を境とする一方側）に位置している。
【００５９】
そして、図６（ａ）に示す如く、電動シリンダ７１の伸出量を縮めると、可動ベース５２は、仮想線の延びる方向に沿って一方の導電部２から他方の導電部２（本実施形態では、二次側の電線Ｃ２が接続された導電部２から一次側の電線Ｃ１が接続された導電部２）に向かって直線移動する。これに伴い、第一軸部５１も、第一レール部６０の形状に沿って、仮想線が延びる方向に沿って、一方の導電部２から他方の導電部２に向かう方向に沿って直線移動する。これにより、導電ブレード４は、その長手方向が仮想線方向に沿った姿勢で一方の導電部２から他方の導電部２に向かう方向に沿って直線移動する。
【００６０】
さらに、電動シリンダ７１の伸出量を縮め続けると、図６（ｂ）に示す如く、第一軸部５１が第一レール部６０から第二レール部６１に移る。そうすると、第一軸部５１は、第二レール部６１の形状に沿って（仮想線の延びる方向と直交する方向に向けて）移動することになる。上述のように、電動シリンダ７１は、仮想線の延びる方向に直交する方向における動きを許容しつつ、仮想線の延びる方向で動かすことができるように構成されているため、可動ベース５２も第一軸部５１とともに、仮想線の延びる方向と直交する方向に向けて移動することになる。
【００６１】
従って、導電ブレード４は、その長手方向が仮想線の延びる方向と一致した姿勢のままで、仮想線の延びる方向と直交する方向に向けて移動する。これにより、導電ブレード４は、長手方向における他端部が二次側の電線Ｃ２が接続された導電部２（挟持部２２）に電気的に接続される。
【００６２】
そして、電動シリンダ７１の伸出量を縮め続けると、第一軸部５１は、図６（ｃ）に示す如く、第二レール部６１から第三レール部６２に移り、第三レール部６２の形状に沿って再び真っ直ぐ進むことになる。そのため、導電ブレード４は、長手方向における一端部が一次側の電線Ｃ１が接続された導電部２（挟持部２２）に電気的に接続される。また、導電ブレード４は、長手方向における一端部が凹部２３０に挿入されることによって押圧部２３１ａ，２３１ｂに押圧される（図４（ａ）参照）。
【００６３】
これにより、前記断路器１では、導電ブレード４が一対の導電部２，２のそれぞれに電気的に接続された状態になり（入状態になり）、一次側の電線Ｃ１と二次側の電線Ｃ２からなる電路を閉じた状態になる。
【００６４】
続いて、電路を閉じた状態から開いた状態にする動作について説明する。電路を閉じた状態の断路器１では、電動シリンダ７１の延出量を増やすと、可動ベース５２が一次側の電線Ｃ１側から二次側の電線Ｃ２側に向けて押されることになる。そうすると、ブレード支持部５及び導電ブレード４は、仮想線方向に真っ直ぐ移動することになり、導電ブレード４の長手方向における一端部が凹部２３０部及び挟持部２２から抜き出されることになる。これにより、断路器１は、導電ブレード４が一次側の導電部２から縁切りされた状態になる。
【００６５】
さらに、電動シリンダ７１の延出量を増やすと、第一軸部５１が第三レール部６２から第二レール部６１に移る。そうすると、第一軸部５１は、第二レール部６１の形状に沿って（仮想線の延びる方向と直交する方向に向けて）移動することになる。これに伴い、導電ブレード４は、長手方向における他端部も挟持部２２から縁切りされる。
【００６６】
そして、電動シリンダ７１の延出量を更に増やすと、第一軸部５１は、第二レール部６１から第一レール部６０に移るため、再び真っ直ぐ進むことになる。これにより、導電ブレード４は、再び一対の導電部２，２のそれぞれから離れた場所に位置する状態になる。すなわち、導電ブレード４は、ブレード支持部５のみに支持されている状態になり、一次側の電線Ｃ１と二次側の電線Ｃ２からなる送電経路を開いた状態になる。
【００６７】
以上のように、本実施形態に係る断路器１によれば、導電ブレード４がブレード支持部５のみに支持された状態にすることができるため、一対の導電部２，２のそれぞれを分解することなく既設の導電ブレード４を新たな導電ブレード４に交換することができる。従って、本実施形態に係る断路器１は、保守作業を容易に行うことができるという優れた効果を奏し得る。
【００６８】
また、本実施形態に係る断路器１によれば、挟持部２２，２２のそれぞれが導電ブレード４が切状態から入状態に切り替わる際にオフセットする方向と相反する方向に向けて開口するように構成されているため、仮想線の延びる方向と直交する方向に向けて移動する導電ブレード４を導電部２，２に確実に電気的に接続することができる。これにより、本実施形態に係る断路器１は、導電ブレード４の導電部２，２への投入不良を防ぐことができる。
【００６９】
そして、本実施形態に係る断路器１によれば、導電ブレード４が長手方向における先端部がブレード固定部２３の凹部２３０に挿入されると、該先端部が押圧部２３１に押圧された状態になる。そのため、本実施形態に係る断路器１によれば、入状態の導電ブレード４の導電部２，２に対する接続が地震等の影響によって解除されることを防ぐことができる。
【００７０】
続いて、本発明の第二実施形態に係る断路器について、添付図面を参酌しつつ説明を行う。なお、本実施形態に係る断路器は、第一実施形態に係る断路器と基本的な構成が共通しているため、本実施形態において、第一実施形態と同一の構成或いは相当する構成については、同一名称及び同一符号を付すこととし、相違する構成についてのみ説明する。
【００７１】
本実施形態に係るガイドレール６は、図７に示す如く、導電ブレード４を仮想線が延びる方向に直交する方向に移動させるとともに、第三レール部６２の長さ（仮想線が延びる方向における寸法）を第一実施形態の第三レール部６２に比べて短く設定することで、一対の導電部２，２に対して同時に電気的に接続させることができる形状になっている。
【００７２】
続いて、該断路器１を使用した電路の開閉動作について添付図面を参照しつつ説明する。
【００７３】
まず、電路を開いた状態から閉じた状態にする動作について説明する。図８（ａ）に示す如く、電動シリンダ７１の伸出量を縮めることによって、導電ブレード４をその長手方向が仮想線方向に沿った姿勢で一方の導電部から他方の導電部に向かって直線移動させる。
【００７４】
そして、電動シリンダ７１の伸出量を縮め続けると、第一軸部５１は、第一レール部６０から第二レール部６１に移る。これにより、第一軸部５１は、第二レール部６１の形状に沿って（仮想線の延びる方向と直交する方向に向けて）移動することになるため、導電ブレード４は、仮想線の延びる方向と直交する方向に向けて移動することになる。これに伴い、導電ブレード４は、図８（ｂ）に示す如く、長手方向における一端側と他端側とが一対の導電部２，２（挟持部２２，２２）に対して同時に電気的に接続される。
【００７５】
さらに、電動シリンダ７１の伸出量を縮め続けると、第一軸部５１は、図８（ｃ）に示す如く、第二レール部６１から第三レール部６２に移り、第三レール部６２の形状に沿って再び真っ直ぐ進むことになる。これにより、導電ブレード４は、一対の導電部２，２のそれぞれに電気的に接続された状態になり（入状態になり）、一次側の電線Ｃ１と二次側の電線Ｃ２からなる電路を閉じた状態になる。
【００７６】
続いて、電路を閉じた状態から開いた状態にする動作について説明する。電動シリンダ７１の延出量を増やすと、該電動シリンダ７１によって可動ベース５２は、仮想線の延びる方向における、一次側の電線Ｃ１に接続された導電部２側から二次側の電線Ｃ２に接続された導電部２側に向けて移動することになり、導電ブレード４の長手方向における一端部が凹部２３０から抜き出されることになる。
【００７７】
そして、電動シリンダ７１の延出量を増やすと、第一軸部５１が第三レール部６２から第二レール部６１に移るため、導電ブレード４は、仮想線の延びる方向と直交する方向にオフセットされるとともに、長手方向における一端部と他端部とが一対の導電部２，２（挟持部２２，２２）から同時に縁切りされる。
【００７８】
さらに、電動シリンダ７１の延出量を増やすと、第一軸部５１は、第二レール部６１から第一レール部６０に移るため、再び真っ直ぐ進むことになる。これにより、導電ブレード４は、再び一対の導電部２，２のそれぞれから離れた場所に位置する状態になる。すなわち、導電ブレード４は、ブレード支持部５のみに支持されている状態になり、一次側の電線Ｃ１と二次側の電線Ｃ２からなる送電経路を開いた状態になる。
【００７９】
以上のように、本実施形態に係る断路器１によれば、導電ブレード４がブレード支持部５のみに支持された状態にすることができるため、一対の導電部２，２のそれぞれを分解することなく既設の導電ブレード４を新たな導電ブレード４に交換することができる。従って、本実施形態に係る断路器１は、保守作業を容易に行うことができるという優れた効果を奏し得る。
【００８０】
また、本実施形態に係る断路器１によれば、導電ブレード４が入状態から切状態に切り替えられる場合、該導電ブレード４が仮想線の延びる方向と直交する方向にオフセットされることで、一対の導電部２，２のそれぞれから同時に縁切りされることになる。そして、本実施形態に係る断路器１によれば、導電ブレード４が切状態から入状態に切り替えられる場合、該導電ブレード４が仮想線の延びる方向と直交する方向に移動することで一対の導電部のそれぞれに同時に電気的に接続されることになる。
【００８１】
従って、本実施形態に係る断路器１によれば、導電ブレード４が前記一対の導電部２，２の少なくとも何れか一方と接触しながら動くことを防ぐことができるため、移動に伴う導電ブレード４の磨耗を抑制することができる。
【００８２】
続いて、本発明の第三実施形態に係る断路器について、添付図面を参酌しつつ説明を行う。なお、本実施形態に係る断路器についても、第一実施形態に係る断路器と基本的な構成が共通しているため、本実施形態において、第一実施形態と同一の構成或いは相当する構成については、同一名称及び同一符号を付すこととし、相違する構成についてのみ説明する。
【００８３】
本実施形態に係るブレード支持部５は、仮想線の延びる方向と直交する方向に移動するとともに、該導電ブレード４の姿勢をその長手方向が仮想線の延びる方向と交差する姿勢に変更させるように構成される姿勢変更手段（便宜上、採番しない）を備える。また、本実施形態に係るガイドレール６は、第三レール部６２が仮想線の延びる方向と直交する方向に延びるように形成されている。
【００８４】
前記姿勢変更手段は、図９（ａ）に示す如く、第一軸部５１に設けられた第二軸部５５と、ベース３０に形成された第二ガイドレール８とを備えている。
【００８５】
前記第二軸部５５は、図９（ｂ）に示す如く、接続部５４を介して第一軸部５１に設けられており、第二ガイドレール８内に位置している。これにより、第二軸部５５は、可動ベース５２が仮想線の延びる方向に沿って動くに伴って、ベース３０の第二ガイドレール８を画定する部分に案内されて動くように構成されている。
【００８６】
そして、本実施形態に係るブレード支持部５においては、前記第一軸部５１が可動ベース５２に対して自身の中心線を軸として回転可能に設けられている。これにより、ブレード支持部５は、第二ガイドレール８を仮想線の延びる方向と直交する方向に移動させると、第一軸部５１が回転するように構成されている。すなわち、ブレード支持部５においては、第二ガイドレール８を仮想線の延びる方向と直交する方向に移動させると第一軸部５１と共に第二支持碍子５０が回転し、導電ブレード４も長手方向における中央部を中心として回転することになる。これにより、本実施形態に係る断路器１においては、導電ブレード４の姿勢をその長手方向が仮想線の延びる方向と交差する姿勢に変更できるようになっている。
【００８７】
本実施形態に係る断路器１の説明は、以上の通りであり、続いて、該断路器１を使用した送電経路の開閉動作について添付図面を参照しつつ説明する。
【００８８】
まず、電路を開いた状態から閉じた状態にする動作について説明する。図１０（ａ）に示す如く、電動シリンダ７１の伸出量を縮めると、可動ベース５２が仮想線の延びる方向に沿って一方の導電部２から他方の導電部２（本実施形態では、二次側の電線Ｃ２が接続された導電部２から一次側の電線Ｃ１が接続された導電部２）に向かって直線移動する。
【００８９】
そして、電動シリンダ７１の伸出量を縮め続けると、第一軸部５１は、第一レール部６０から第二レール部６１に移る。これにより、第一軸部５１が第二レール部６１の形状に沿って（仮想線の延びる方向と直交する方向に向けて）移動することになるため、導電ブレード４は、仮想線の延びる方向と直交する方向に向けて移動する。
【００９０】
そして、第二軸部５５が第二ガイドレール８に案内されて移動することによって、第一軸部５１が回転することになる。これにより、導電ブレード４は、図１０（ｂ）に示す如く、仮想線の延びる方向と直交する方向に向けて移動しつつ、長手方向が仮想線の延びる方向と交差する姿勢に変更される。
【００９１】
さらに、電動シリンダ７１の伸出量を縮め続けると、第一軸部５１は、第二レール部６１から第三レール部６２に移り、第三レール部６２の形状に沿って再び真っ直ぐ進むことになる。そのため、導電ブレード４は、長手方向における一端部が一次側の導電部２（挟持部２２）に電気的に接続される。
【００９２】
そして、第二軸部５５は、第二軸部５５が第二ガイドレール８の形状に沿って更に移動することになるため、第二支持碍子５０が自身の中心線を軸として回転する。従って、導電ブレード４は、図１０（ｃ）に示す如く、仮想線の延びる方向と沿って真っすぐに進みつつ、長手方向が仮想線の延びる方向に沿って延びる姿勢に変更される。これにより、導電ブレード４は、長手方向における他端部が二次側の導電部２（挟持部２２）に電気的に接続される。
【００９３】
従って、導電ブレード４は、一対の導電部２，２のそれぞれに電気的に接続された状態になり（入状態になり）、一次側の電線Ｃ１と二次側の電線Ｃ２からなる電路を閉じた状態になる。
【００９４】
続いて、電路を閉じた状態から開いた状態にする動作について説明する。電動シリンダ７１の延出量を増やすと、該電動シリンダ７１によって可動ベース５２が仮想線方向に押されることになり、導電ブレード４の長手方向における一端部が一次側の電線Ｃ１が接続された導電部２（凹部２３０及び挟持部２２）から抜き出されるとともに、長手方向が仮想線の延びる方向と交差する姿勢に変更されるため、長手方向における他端部が二次側の電線Ｃ２に接続された導電部２（挟持部２２）から縁切りされる。
【００９５】
そして、電動シリンダ７１の延出量を増やすと、第一軸部５１が第三レール部６２から第二レール部６１に移るため、導電ブレード４は、仮想線の延びる方向と直交する方向にオフセットされるとともに、その長手方向が仮想線の延びる方向に沿って延びる姿勢に変更される。
【００９６】
さらに、電動シリンダ７１の延出量を増やすと、第一軸部５１は、第二レール部６１から第一レール部６０に移るため、再び仮想線の延びる方向に沿って真っ直ぐに進むことになる。これにより、導電ブレード４は、再び一対の導電部２，２のそれぞれから離れた場所に位置する状態になる。すなわち、導電ブレード４は、ブレード支持部５のみに支持されている状態になり、一次側の電線Ｃ１と二次側の電線Ｃ２からなる送電経路を開いた状態になる。
【００９７】
以上のように、本実施形態に係る断路器１によれば、導電ブレード４がブレード支持部５のみに支持された状態にすることができるため、一対の導電部２，２のそれぞれを分解することなく既設の導電ブレード４を新たな導電ブレード４に交換することができる。従って、本実施形態に係る断路器１は、保守作業を容易に行うことができるという優れた効果を奏し得る。
【００９８】
また、本実施形態に係る断路器１によれば、導電ブレード４が、入状態から切状態に切り替えられる場合、仮想線の延びる方向と直交する方向にオフセットされつつ、長手方向が仮想線の延びる方向と交差する姿勢に変更される。また、導電ブレード４は、切状態から入状態に切り替えられる場合においても、仮想線の延びる方向と直交する方向にオフセットされつつ、長手方向が仮想線の延びる方向と交差する姿勢に変更される。従って、上記構成の断路器１によれば、導電ブレード４が一対の導電部２，２の少なくとも何れか一方と接触しながら動くことを防ぐことができるため、移動に伴う導電ブレード４の磨耗をより抑制することができる。
【００９９】
尚、本発明に係る断路器は、上記各実施形態に限定されるものではなく、本発明の要旨を逸脱しない範囲内において種々変更を加え得ることは勿論である。
【０１００】
上記第一実施形態、第二実施形態、第三実施形態において、一方の導電部２（ブレード固定部２３が設けられている導電部２）に一次側の電線Ｃ１が接続され、他方の導電部２に二次側の電線Ｃ２が接続されていたが、これに限定されるものではなく、例えば、一方の導電部２に二次側の電線Ｃ２が接続され、他方の導電部２に一次側の電線Ｃ１が接続されてもよい。
【０１０１】
また、上記第一実施形態、第二実施形態、第三実施形態において、導電部本体２０の厚みを導電ブレード４の厚みよりも僅かに小さくなるように設定することで、上側板部２２０ａの一方側の面と下側板部２２０ｂの他方側の面とが該導電部本体２０の厚みに相当する間隔を空けて対向するようにしていたが、これに限定されるものではなく、例えば、上側板部２２０ａの一方側の面と下側板部２２０ｂの他方側の面との間隔を導電ブレード４の厚みよりも僅かに小さくなるように設定できれば、導電部本体２０の厚みが導電ブレード４の厚みよりも大きくなるようにしてもよい。
【０１０２】
また、上記第一実施形態、第二実施形態、第三実施形態において、ガイドレール６は、支持部３の一構成であるベース３０に穿設していたが、これに限定されるものではなく、ベース３０とは別体の部材に穿設してもよい。
【０１０３】
また、上記第一実施形態、第二実施形態、第三実施形態において、駆動装置７は、駆動装置７は、可動ベース５２に取り付けられる連結部７０と、該連結部７０を介して可動ベース５２に取り付けられる電動シリンダ７１と、該電動シリンダ７１を作動させるための電源接続端子箱７２とを備えていたが、これに限定されるものではなく、例えば、仮想線の延びる方向に沿って動くことのできるアーム体がユニバーサルジョイントを介して可動ベース５２に取り付けられていてもよい。
【０１０４】
また、上記第一実施形態、第二実施形態、第三実施形態において、駆動装置７は、電動シリンダ７１と、電源接続端子箱７２とが別体で構成されていたが、これに限定されるものではなく、例えば、電動シリンダ７１と、電源接続端子箱７２とが一体的に構成されていてもよい。
【０１０５】
また、上記第一実施形態、第二実施形態、第三実施形態において、可動ベース５２には、電動シリンダ７１が取り付けられていたが、これに限定されるものではなく、例えば、可動ベース５２に油圧シリンダを取り付けてもよい。但し、このようにする場合は、電源接続端子箱７２に代えてオイルポンプを設けることが必要となる。
【０１０６】
また、上記第三実施形態において、第二ガイドレール８は、支持部３の一構成であるベース３０に穿設していたが、これに限定されるものではなく、ベース３０とは別体の部材に穿設してもよい。
【符号の説明】
【０１０７】
１…断路器、２…導電部、３…支持部、４…導電ブレード、５…ブレード支持部、６…ガイドレール、７…駆動装置、８…第二ガイドレール、２０…導電部本体、２１…電線接続部、２２…挟持部、２３…ブレード固定部、３０…ベース、３１…第一支持碍子、５０…第二支持碍子、５１…第一軸部、５２…可動ベース、５３…補助ガイド、５４…接続部、５５…第二軸部、６０…第一レール部、６１…第二レール部、６２…第三レール部、７０…連結部、７１…電動シリンダ、７２…電源接続端子箱、２２０ａ…上側板部、２２０ｂ…下側板部、２３０…凹部、２３１…押圧部、３１０…台部、３１１…導電部支持台、５００…ブレード支持台、７００…ガイド部、７００ａ…ガイド溝、７０１…スライド部、７０１ａ…突部、Ｃ１…一次側の電線、Ｃ２…二次側の電線
【図１】
0005269167.tif 000002
【図２】
0005269167.tif 000003
【図３】
0005269167.tif 000004
【図４】
0005269167.tif 000005
【図５】
0005269167.tif 000006
【図６】
0005269167.tif 000007
【図７】
0005269167.tif 000008
【図８】
0005269167.tif 000009
【図９】
0005269167.tif 000010
【図１０】
0005269167.tif 000011